(57)【要約】  本開示の実施例は、セミパーシステントグラント上りリンク伝送のための方法、端末機器及びネットワーク側機器を開示しており、前記方法は、複数のセミパーシステントグラントリソースを設定するための設定情報を受信することを含み、前記複数のセミパーシステントグラントリソースの各々は、少なくとも１つのアンライセンス周波数帯域サブバンドに対応している。【選択図】  図２
2021532656.tif 000002
【特許請求の範囲】
【請求項１】
端末機器に適用される、セミパーシステントグラント上りリンク伝送のための方法であって、
複数のセミパーシステントグラントリソースを設定するための設定情報を受信することを含み、
前記複数のセミパーシステントグラントリソースの各々は、少なくとも１つのアンライセンス周波数帯域サブバンドに対応している、セミパーシステントグラント上りリンク伝送のための方法。
【請求項２】
異なるセミパーシステントグラントリソースに対応する少なくとも１つのアンライセンス周波数帯域サブバンドが異なる、請求項１に記載のセミパーシステントグラント上りリンク伝送のための方法。
【請求項３】
前記複数のセミパーシステントグラントリソースのうち、１つ又は複数をアクティブ化することを更に含む、請求項１に記載のセミパーシステントグラント上りリンク伝送のための方法。
【請求項４】
前記複数のセミパーシステントグラントリソースのうち、１つ又は複数をアクティブ化することは、
前記複数のセミパーシステントグラントリソースと、前記各々のセミパーシステントグラントリソースに対応する少なくとも１つのアンライセンス周波数帯域サブバンドとを設定してアクティブ化するための上位層シグナリングを受信することを含む、請求項３に記載のセミパーシステントグラント上りリンク伝送のための方法。
【請求項５】
前記複数のセミパーシステントグラントリソースのうち、１つ又は複数をアクティブ化することは、
前記複数のセミパーシステントグラントリソースを設定するための上位層シグナリングを受信することと、
アクティブ化リソース識別子情報を指示し、並びに、前記アクティブ化リソース識別子情報に対応するセミパーシステントグラントリソースに、少なくとも１つのアンライセンス周波数帯域サブバンドを指示するための下りリンクアクティブ化シグナリングを受信することとを含み、前記アクティブ化リソース識別子情報は、前記アクティブ化リソース識別子情報に対応するセミパーシステントグラントリソースをアクティブ化するように指示するためのものである、請求項３に記載のセミパーシステントグラント上りリンク伝送のための方法。
【請求項６】
前記複数のセミパーシステントグラントリソースのうち、１つ又は複数をアクティブ化することは、
前記複数のセミパーシステントグラントリソースと、前記各々のセミパーシステントグラントリソースに対応する少なくとも１つのアンライセンス周波数帯域サブバンドとを設定するための上位層シグナリングを受信することと、
少なくとも１つのアクティブ化リソース識別子情報を指示するための下りリンクアクティブ化シグナリングを受信することとを含み、前記少なくとも１つのアクティブ化リソース識別子情報は、前記少なくとも１つのアクティブ化リソース識別子情報の各々に対応するセミパーシステントグラントリソースをアクティブ化するように指示するためのものである、請求項３に記載のセミパーシステントグラント上りリンク伝送のための方法。
【請求項７】
アクティブ状態にあるセミパーシステントグラントリソースに対応する少なくとも１つのアンライセンス周波数帯域サブバンドに対し、チャネル傍受を行うことと、
ターゲットセミパーシステントグラントリソースであって、その対応する少なくとも１つのアンライセンス周波数帯域サブバンドのチャネル傍受結果がアイドルであるターゲットセミパーシステントグラントリソースを特定することと、
前記ターゲットセミパーシステントグラントリソースにて、上行データチャネルを送信することとを更に含む、請求項３に記載のセミパーシステントグラント上りリンク伝送のための方法。
【請求項８】
前記上行データチャネルには、ＵＣＩ（Ｕｐｌｉｎｋ  Ｃｏｎｔｒｏｌ  Ｉｎｆｏｒｍａｔｉｏｎ）が搬送されており、
前記ＵＣＩには、前記ターゲットセミパーシステントグラントリソースの識別子情報が含まれている、請求項７に記載のセミパーシステントグラント上りリンク伝送のための方法。
【請求項９】
アクティブ状態にあるセミパーシステントグラントリソースのうち、１つ又は複数を非アクティブ化することを更に含む、請求項３に記載のセミパーシステントグラント上りリンク伝送のための方法。
【請求項１０】
アクティブ状態にあるセミパーシステントグラントリソースのうち、１つ又は複数を非アクティブ化することは、
前記アクティブ状態にあるセミパーシステントグラントリソースのうち、１つ又は複数を非アクティブ化するための上位層シグナリングを受信することを含む、請求項９に記載のセミパーシステントグラント上りリンク伝送のための方法。
【請求項１１】
アクティブ状態にあるセミパーシステントグラントリソースのうち、１つ又は複数を非アクティブ化することは、
少なくとも１つの非アクティブ化リソース識別子情報を指示するための下りリンク非アクティブ化シグナリングを受信することを含み、前記少なくとも１つの非アクティブ化リソース識別子情報は、前記少なくとも１つの非アクティブ化リソース識別子情報の各々に対応するセミパーシステントグラントリソースを非アクティブ化するように指示するためのものである、請求項９に記載のセミパーシステントグラント上りリンク伝送のための方法。
【請求項１２】
前記上位層シグナリングは、ＲＲＣ（Ｒａｄｉｏ  Ｒｅｓｏｕｒｃｅ  Ｃｏｎｔｒｏｌ）シグナリングを含む、請求項４、５、６、１０の何れか一項に記載のセミパーシステントグラント上りリンク伝送のための方法。
【請求項１３】
ネットワーク側機器に適用される、セミパーシステントグラント上りリンク伝送のための方法であって、
端末機器に複数のセミパーシステントグラントリソースを設定するための設定情報を送信することを含み、
前記複数のセミパーシステントグラントリソースの各々は、少なくとも１つのアンライセンス周波数帯域サブバンドに対応している、セミパーシステントグラント上りリンク伝送のための方法。
【請求項１４】
異なるセミパーシステントグラントリソースに対応する少なくとも１つのアンライセンス周波数帯域サブバンドが異なる、請求項１３に記載のセミパーシステントグラント上りリンク伝送のための方法。
【請求項１５】
前記複数のセミパーシステントグラントリソースのうち、１つ又は複数をアクティブ化することを更に含む、請求項１３に記載のセミパーシステントグラント上りリンク伝送のための方法。
【請求項１６】
前記複数のセミパーシステントグラントリソースのうち、１つ又は複数をアクティブ化することは、
前記複数のセミパーシステントグラントリソースと、前記各々のセミパーシステントグラントリソースに対応する少なくとも１つのアンライセンス周波数帯域サブバンドとを設定してアクティブ化するための上位層シグナリングを送信することを含む、請求項１５に記載のセミパーシステントグラント上りリンク伝送のための方法。
【請求項１７】
前記複数のセミパーシステントグラントリソースのうち、１つ又は複数をアクティブ化することは、
前記複数のセミパーシステントグラントリソースを設定するための上位層シグナリングを送信することと、
アクティブ化リソース識別子情報を指示し、並びに、前記アクティブ化リソース識別子情報に対応するセミパーシステントグラントリソースに、少なくとも１つのアンライセンス周波数帯域サブバンドを指示するための下りリンクアクティブ化シグナリングを送信することとを含み、前記アクティブ化リソース識別子情報は、前記アクティブ化リソース識別子情報に対応するセミパーシステントグラントリソースをアクティブ化するように指示するためのものである、請求項１５に記載のセミパーシステントグラント上りリンク伝送のための方法。
【請求項１８】
前記複数のセミパーシステントグラントリソースのうち、１つ又は複数をアクティブ化することは、
前記複数のセミパーシステントグラントリソースと、前記各々のセミパーシステントグラントリソースに対応する少なくとも１つのアンライセンス周波数帯域サブバンドとを設定するための上位層シグナリングを送信することと、
少なくとも１つのアクティブ化リソース識別子情報を指示するための下りリンクアクティブ化シグナリングを送信することとを含み、前記少なくとも１つのアクティブ化リソース識別子情報は、前記少なくとも１つのアクティブ化リソース識別子情報の各々に対応するセミパーシステントグラントリソースをアクティブ化するように指示するためのものである、請求項１５に記載のセミパーシステントグラント上りリンク伝送のための方法。
【請求項１９】
ターゲットセミパーシステントグラントリソースにて、上行データチャネルを受信することを更に含む、請求項１５に記載のセミパーシステントグラント上りリンク伝送のための方法。
【請求項２０】
前記上行データチャネルには、ＵＣＩが搬送されており、
前記ＵＣＩには、前記ターゲットセミパーシステントグラントリソースの識別子情報が含まれている、請求項１９に記載のセミパーシステントグラント上りリンク伝送のための方法。
【請求項２１】
アクティブ状態にあるセミパーシステントグラントリソースのうち、１つ又は複数を非アクティブ化することを更に含む、請求項１５に記載のセミパーシステントグラント上りリンク伝送のための方法。
【請求項２２】
アクティブ状態にあるセミパーシステントグラントリソースのうち、１つ又は複数を非アクティブ化することは、
前記アクティブ状態にあるセミパーシステントグラントリソースのうち、１つ又は複数を非アクティブ化するための上位層シグナリングを送信することを含む、請求項２１に記載のセミパーシステントグラント上りリンク伝送のための方法。
【請求項２３】
アクティブ状態にあるセミパーシステントグラントリソースのうち、１つ又は複数を非アクティブ化することは、
少なくとも１つの非アクティブ化リソース識別子情報を指示するための下りリンク非アクティブ化シグナリングを送信することを含み、前記少なくとも１つの非アクティブ化リソース識別子情報は、前記少なくとも１つの非アクティブ化リソース識別子情報の各々に対応するセミパーシステントグラントリソースを非アクティブ化するように指示するためのものである、請求項２１に記載のセミパーシステントグラント上りリンク伝送のための方法。
【請求項２４】
前記上位層シグナリングは、ＲＲＣシグナリングを含む、請求項１６、１７、１８、２２の何れか一項に記載のセミパーシステントグラント上りリンク伝送のための方法。
【請求項２５】
複数のセミパーシステントグラントリソースを設定するための設定情報を受信するための受信モジュールを含み、
前記複数のセミパーシステントグラントリソースの各々は、少なくとも１つのアンライセンス周波数帯域サブバンドに対応している、端末機器。
【請求項２６】
メモリと、プロセッサと、前記メモリに記憶されて前記プロセッサ上で実行可能なコンピュータプログラムとを含み、前記コンピュータプログラムが前記プロセッサによって実行されると、請求項１〜１２の何れか一項に記載のセミパーシステントグラント上りリンク伝送のための方法が実現される、端末機器。
【請求項２７】
コンピュータプログラムを記憶したコンピュータ読取可能な記憶媒体であって、前記コンピュータプログラムがプロセッサによって実行されると、請求項１〜１２の何れか一項に記載のセミパーシステントグラント上りリンク伝送のための方法が実現される、コンピュータ読取可能な記憶媒体。
【請求項２８】
端末機器に複数のセミパーシステントグラントリソースを設定するための設定情報を送信するための送信モジュールを含み、
前記複数のセミパーシステントグラントリソースの各々は、少なくとも１つのアンライセンス周波数帯域サブバンドに対応している、ネットワーク側機器。
【請求項２９】
メモリと、プロセッサと、前記メモリに記憶されて前記プロセッサ上で実行可能なコンピュータプログラムとを含み、前記コンピュータプログラムが前記プロセッサによって実行されると、請求項１３〜２４の何れか一項に記載のセミパーシステントグラント上りリンク伝送のための方法が実現される、ネットワーク側機器。
【請求項３０】
コンピュータプログラムを記憶したコンピュータ読取可能な記憶媒体であって、前記コンピュータプログラムがプロセッサによって実行されると、請求項１３〜２４の何れか一項に記載のセミパーシステントグラント上りリンク伝送のための方法が実現される、コンピュータ読取可能な記憶媒体。
【発明の詳細な説明】
【技術分野】
【０００１】
（関連出願の相互参照）
本願は、２０１８年７月２３日に中国で出願された中国特許出願第２０１８１０８１３９３１．１号の優先権を主張し、その内容の全ては、参照により本願に組み込まれる。
本開示は、通信分野に関し、特に、セミパーシステントグラント上りリンク伝送のための方法、端末機器及びネットワーク側機器に関する。
【背景技術】
【０００２】
第五世代（５Ｇ）移動通信システムのＮＲ（Ｎｅｗ  Ｒａｄｉｏ）において、アンライセンス周波数帯域（ｕｎ−ｌｉｃｅｎｓｅｄ  ｂａｎｄ）は、ライセンス周波数帯域（ｌｉｃｅｎｓｅｄ  ｂａｎｄ）の補充として、事業者によるサービスの拡大を支援することができる。アンライセンス周波数帯域が、例えばＷｉＦｉ、レーダ、ＬＴＥ−ＬＡＡ等の複数の技術で共有されているため、アンライセンス周波数帯域を使用する際は、ＬＴＢ（ｌｉｓｔｅｎ  ｂｅｆｏｒｅ  ｔａｌｋ）ルールに準拠する必要があり、即ち、データを送信する前にチャネル傍受を行い、傍受結果としてチャネルがアイドルである場合にのみデータ送信を行えるようにして、全ての機器がアンライセンス周波数帯域リソースを公平に使用できることを保証する。
【０００３】
セミパーシステントグラント上りリンク伝送の際、チャネル傍受の結果としてチャネルがビジーであると、端末機器は、セミパーシステントグラントリソース（Ｃｏｎｆｉｇｕｒｅｄ  Ｇｒａｎｔ  Ｒｅｓｏｕｒｃｅ）の伝送時刻で上りリンク伝送を行えず、端末機器は、セミパーシステントグラントリソースの伝送時刻が到来するまで、チャネル傍受を継続する必要があり、チャネル傍受の結果、チャネルがアイドルとなった場合にのみ、上りリンク伝送を実現できるため、セミパーシステントグラント上りリンク伝送のレイテンシが長い。
【発明の概要】
【発明が解決しようとする課題】
【０００４】
本開示のいくつかの実施例の目的は、関連技術におけるセミパーシステントグラント上りリンク伝送のレイテンシが長いという課題を解決するための、セミパーシステントグラント上りリンク伝送のための方法、端末機器及びネットワーク側機器を提供する。
【課題を解決するための手段】
【０００５】
第一態様において、本開示のいくつかの実施例は、端末機器に適用される、セミパーシステントグラント上りリンク伝送のための方法であって、
複数のセミパーシステントグラントリソースを設定するための設定情報を受信することを含み、
前記複数のセミパーシステントグラントリソースの各々は、少なくとも１つのアンライセンス周波数帯域サブバンドに対応している、セミパーシステントグラント上りリンク伝送のための方法を提供している。
【０００６】
第二態様において、本開示のいくつかの実施例は、ネットワーク側機器に適用される、セミパーシステントグラント上りリンク伝送のための方法であって、
端末機器に複数のセミパーシステントグラントリソースを設定するための設定情報を送信することを含み、
前記複数のセミパーシステントグラントリソースの各々は、少なくとも１つのアンライセンス周波数帯域サブバンドに対応している、セミパーシステントグラント上りリンク伝送のための方法を更に提供している。
【０００７】
第三態様において、本開示のいくつかの実施例は、
複数のセミパーシステントグラントリソースを設定するための設定情報を受信するための受信モジュールを含み、
前記複数のセミパーシステントグラントリソースの各々は、少なくとも１つのアンライセンス周波数帯域サブバンドに対応している、端末機器を更に提供している。
【０００８】
第四態様において、本開示のいくつかの実施例は、プロセッサと、メモリと、前記メモリに記憶されて前記プロセッサ上で実行可能なコンピュータプログラムとを含み、前記コンピュータプログラムが前記プロセッサによって実行されると、第一態様に記載のセミパーシステントグラント上りリンク伝送のための方法が実現される、端末機器を更に提供している。
【０００９】
第五態様において、本開示のいくつかの実施例は、コンピュータプログラムを記憶したコンピュータ読取可能な記憶媒体であって、前記コンピュータプログラムがプロセッサによって実行されると、第一態様に記載のセミパーシステントグラント上りリンク伝送のための方法が実現される、コンピュータ読取可能な記憶媒体を更に提供している。
【００１０】
第六態様において、本開示のいくつかの実施例は、
端末機器に複数のセミパーシステントグラントリソースを設定するための設定情報を送信するための送信モジュールを含み、
前記複数のセミパーシステントグラントリソースの各々は、少なくとも１つのアンライセンス周波数帯域サブバンドに対応している、ネットワーク側機器を更に提供している。
【００１１】
第七態様において、本開示のいくつかの実施例は、プロセッサと、メモリと、前記メモリに記憶されて前記プロセッサ上で実行可能なコンピュータプログラムとを含み、前記コンピュータプログラムが前記プロセッサによって実行されると、第二態様に記載のセミパーシステントグラント上りリンク伝送のための方法が実現される、ネットワーク側機器を更に提供している。
【００１２】
第八態様において、本開示のいくつかの実施例は、コンピュータプログラムを記憶したコンピュータ読取可能な記憶媒体であって、前記コンピュータプログラムがプロセッサによって実行されると、第二態様に記載のセミパーシステントグラント上りリンク伝送のための方法が実現される、コンピュータ読取可能な記憶媒体を更に提供している。
【発明の効果】
【００１３】
本開示のいくつかの実施例において、設定情報により、端末機器に複数のセミパーシステントグラントリソースを設定し、各々のセミパーシステントグラントリソースが少なくとも１つのアンライセンス周波数帯域サブバンドに対応していることで、アンライセンス周波数帯域のチャネルのうち、ビジーでないものが存在する場合、端末機器は、チャネルがアイドルであるアンライセンス周波数帯域サブバンドに対応するセミパーシステントグラントリソースを用いて、アンライセンス周波数帯域に素早くアクセスすることが可能であるため、セミパーシステントグラント上りリンク伝送のレイテンシを効果的に低減することができる。
【００１４】
ここで説明される図面は、本開示のさらなる理解を提供するためのものであり、本開示の一部を構成し、本開示の例示的な実施例及びその説明は、本開示を解釈するためのものであり、本開示に対する不適切な制限を構成しない。
【図面の簡単な説明】
【００１５】
【図１】本開示のいくつかの実施例によるネットワークアーキテクチャ模式図である。
【図２】本開示のいくつかの実施例によるセミパーシステントグラント上りリンク伝送のための方法のフロー模式図である。
【図３】本開示のいくつかの実施例による他のセミパーシステントグラント上りリンク伝送のための方法のフロー模式図である。
【図４】本開示のいくつかの実施例による端末機器の構造模式図である。
【図５】本開示のいくつかの実施例によるネットワーク側機器の構造模式図である。
【図６】本開示のいくつかの実施例による他の端末機器の構造模式図である。
【図７】本開示のいくつかの実施例による他のネットワーク側機器の構造模式図である。
【発明を実施するための形態】
【００１６】
以下、本開示のいくつかの実施例内の図面を参照しながら、本開示のいくつかの実施例における技術案を明確且つ完全に説明するが、明らかなことに、説明される実施例は本開示のすべての実施例ではなく、一部の実施例なのである。本開示内の実施例に基づいて、当業者によって創造的な労働を払わずに得られた他の実施例は、全て本開示の保護範囲に含まれるものとする。
【００１７】
図１を参照して、図１は、本開示のいくつかの実施例によるネットワークアーキテクチャ模式図である。図１に示すように、ユーザ端末１１及び基地局１２が含まれており、ユーザ端末１１は、ＵＥ（Ｕｓｅｒ  Ｅｑｕｉｐｍｅｎｔ）、例えば携帯電話、タブレットＰＣ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）等の端末側機器であってもよいが、本開示のいくつかの実施例において、ユーザ端末１１の具体的なタイプが限定されないことを留意されたい。上記基地局１２は、５Ｇ及びそれ以降のバージョンの基地局（例えば、ｇＮＢ、５Ｇ  ＮＲ  ＮＢ）、又は、他の通信システム内の基地局であってもよいし、或いは、ノードＢと呼ばれてもよいが、本開示のいくつかの実施例において、５Ｇ基地局だけを例として取り上げており、基地局１２の具体的なタイプは限定されないことを留意されたい。
【００１８】
なお、上記ユーザ端末１１及び基地局１２の具体的な機能は、以下の複数の実施例によって詳しく説明される。
【００１９】
図２は、本開示のいくつかの実施例によるセミパーシステントグラント上りリンク伝送のための方法のフロー模式図である。前記方法は、端末機器に適用されるもので、次の通りであってもよい。
【００２０】
ステップ２１０として、複数のセミパーシステントグラントリソースを設定するための設定情報を受信し、複数のセミパーシステントグラントリソースの各々は、少なくとも１つのアンライセンス周波数帯域サブバンドに対応している。
【００２１】
そのうち、異なるセミパーシステントグラントリソースに対応する少なくとも１つのアンライセンス周波数帯域サブバンドが異なる。
【００２２】
本開示のいくつかの実施例において、
複数のセミパーシステントグラントリソースのうち、１つ又は複数をアクティブ化することを更に含む。
【００２３】
ネットワーク側機器は、設定情報により、端末機器に複数のセミパーシステントグラントリソースを設定し、当該複数のセミパーシステントグラントリソースのうち、１つ又は複数をアクティブ化することで、アンライセンス周波数帯域のチャネルのうち、ビジーでないものが存在する場合、端末機器は、チャネルがアイドルであるアンライセンス周波数帯域サブバンドに対応するセミパーシステントグラントリソースを用いて、アンライセンス周波数帯域に素早くアクセスすることが可能である。
【００２４】
複数のセミパーシステントグラントリソースのうち、１つ又は複数をアクティブ化する方式は、下記の少なくとも３種を含む。
【００２５】
第一種：
本開示のいくつかの実施例において、複数のセミパーシステントグラントリソースのうち、１つ又は複数をアクティブ化することは、
複数のセミパーシステントグラントリソースと、各々のセミパーシステントグラントリソースに対応する少なくとも１つのアンライセンス周波数帯域サブバンドとを設定してアクティブ化するための上位層シグナリングを受信することを含む。
【００２６】
そのうち、上位層シグナリングは、ＲＲＣ（Ｒａｄｉｏ  Ｒｅｓｏｕｒｃｅ  Ｃｏｎｔｒｏｌ）シグナリングを含む。
【００２７】
端末機器は、ネットワーク側機器から送信された上位層シグナリングを受信し、当該上位層シグナリングには、端末機器にネットワーク側機器によって設定された複数のセミパーシステントグラントリソースの各々に対応する識別子情報及び設定情報が含まれている。そのうち、各々のセミパーシステントグラントリソースに対応する設定情報には、当該セミパーシステントグラントリソースの周期、時間周波数リソース等のパラメータが含まれている。
【００２８】
各々のセミパーシステントグラントリソースの時間周波数リソースパラメータに従って、端末機器は、ネットワーク側機器によって設定された、当該セミパーシステントグラントリソースに対応する少なくとも１つのアンライセンス周波数帯域サブバンドを特定することができる。
【００２９】
つまり、端末機器は、ネットワーク側機器から送信された上位層シグナリングを受信すると、当該上位層シグナリングに従って、複数のセミパーシステントグラントリソースを設定してアクティブ化することが可能となり、端末機器は、いかなる他のアクティブ化シグナリングを更に受信する必要がない。
【００３０】
一例として、端末機器は、ネットワーク側機器から送信されたＲＲＣシグナリングを受信し、当該ＲＲＣシグナリングには、第一セミパーシステントグラントリソースに対応する識別子情報及び設定情報と、第二セミパーシステントグラントリソースに対応する識別子情報及び設定情報と、第三セミパーシステントグラントリソースに対応する識別子情報及び設定情報とが含まれている。
【００３１】
即ち、ネットワーク側機器は、当該ＲＲＣシグナリングを介して、端末機器に３つのセミパーシステントグラントリソースを設定してアクティブ化している。
【００３２】
そのうち、第一セミパーシステントグラントリソースに対応する設定情報には、第一時間周波数リソースパラメータが含まれており、第一時間周波数リソースパラメータに従って、端末機器は、ネットワーク側機器によって設定された、第一セミパーシステントグラントリソースに対応するアンライセンス周波数帯域サブバンドがサブバンド１及びサブバンド３であると特定でき、第二セミパーシステントグラントリソースに対応する設定情報には、第二時間周波数リソースパラメータが含まれており、第二時間周波数リソースパラメータに従って、端末機器は、ネットワーク側機器によって設定された、第二セミパーシステントグラントリソースに対応するアンライセンス周波数帯域サブバンドがサブバンド２及びサブバンド４であると特定でき、第三セミパーシステントグラントリソースに対応する設定情報には、第三時間周波数リソースパラメータが含まれており、第三時間周波数リソースパラメータに従って、端末機器は、ネットワーク側機器によって設定された、第三セミパーシステントグラントリソースに対応するアンライセンス周波数帯域サブバンドがサブバンド１、サブバンド２及びサブバンド４であると特定できる。
【００３３】
第二種：
本開示のいくつかの実施例において、複数のセミパーシステントグラントリソースのうち、１つ又は複数をアクティブ化することは、
複数のセミパーシステントグラントリソースを設定するための上位層シグナリングを受信することと、
アクティブ化リソース識別子情報を指示し、並びにアクティブ化リソース識別子情報に対応するセミパーシステントグラントリソースに、少なくとも１つのアンライセンス周波数帯域サブバンドを指示するための下りリンクアクティブ化シグナリングを受信することとを含み、アクティブ化リソース識別子情報は、アクティブ化リソース識別子情報に対応するセミパーシステントグラントリソースをアクティブ化するように指示するためのものである。
【００３４】
まず、端末機器は、ネットワーク側機器から送信された上位層シグナリングを受信し、当該上位層シグナリングには、端末機器用にネットワーク側機器によって設定された複数のセミパーシステントグラントリソースの各々に対応する識別子情報及び第一設定情報が含まれている。
【００３５】
そのうち、各々のセミパーシステントグラントリソースに対応する第一設定情報には、当該セミパーシステントグラントリソースの周期等の一部のパラメータが含まれている。
【００３６】
その後、端末機器は、ネットワーク側機器から送信された下りリンクアクティブ化シグナリングを受信し、当該下りリンクアクティブ化シグナリングには、アクティブ化リソース識別子情報及び第二設定情報が含まれている。
【００３７】
そのうち、端末機器は、当該アクティブ化リソース識別子情報に従って、当該アクティブ化リソース識別子情報に対応するセミパーシステントグラントリソースをアクティブ化し、第二設定情報には、例えば時間周波数リソースパラメータ、ＭＣＳ（Ｍｏｄｕｌａｔｉｏｎ  ａｎｄ  Ｃｏｄｉｎｇ  Ｓｃｈｅｍｅ）パラメータ等、当該アクティブ化リソース識別子情報に対応するセミパーシステントグラントリソースにネットワーク側機器によって設定された、伝送に関するパラメータが含まれており、当該時間周波数リソースパラメータに従って、端末機器は、当該アクティブ化リソース識別子情報に対応するセミパーシステントグラントリソースにネットワーク側機器によって設定された少なくとも１つのアンライセンス周波数帯域サブバンドを特定することができる。
【００３８】
一例として、まず、端末機器は、ネットワーク側機器から送信されたＲＲＣシグナリングを受信し、当該ＲＲＣシグナリングには、第一セミパーシステントグラントリソースに対応する識別子情報及び第一設定情報と、第二セミパーシステントグラントリソースに対応する識別子情報及び第一設定情報と、第三セミパーシステントグラントリソースに対応する識別子情報及び第一設定情報とが含まれている。
【００３９】
つまり、ネットワーク側機器は、当該ＲＲＣシグナリングを介して、端末機器に３つのセミパーシステントグラントリソースを設定している。
【００４０】
その後、端末機器は、ネットワーク側機器から送信された下りリンクアクティブ化シグナリングを受信し、当該下りリンクアクティブ化シグナリングには、第一セミパーシステントグラントリソースに対応する識別子情報及び第二設定情報が含まれ、第二設定情報には、第一時間周波数リソースパラメータが含まれている。
【００４１】
端末機器は、当該第一セミパーシステントグラントリソースに対応する識別子情報に従って、第一セミパーシステントグラントリソースをアクティブ化し、当該第二設定情報内の第一時間周波数リソースパラメータに従って、端末機器は、ネットワーク側機器によって設定された、第一セミパーシステントグラントリソースに対応するアンライセンス周波数帯域サブバンドがサブバンド１、サブバンド３及びサブバンド４であると特定できる。
【００４２】
説明すべきなのは、端末機器によって受信された下りリンクアクティブ化シグナリングは１つであってもよいし、複数であってもよいが、ここで、具体的に限定しない。
【００４３】
端末機器が複数の下りリンクアクティブ化シグナリングを受信した場合、端末機器は、各々の下りリンクアクティブ化シグナリングに含まれているアクティブ化リソース識別子情報に従って、当該アクティブ化識別子情報に対応するセミパーシステントグラントリソースをアクティブ化する。また、各々の下りリンクアクティブ化シグナリングに含まれている第二設定情報内の時間周波数リソースパラメータに従って、当該アクティブ化識別子情報に対応するセミパーシステントグラントリソースにネットワーク側機器によって設定された少なくとも１つのアンライセンス周波数帯域サブバンドを特定する。
【００４４】
上記ネットワーク側機器が、当該ＲＲＣシグナリングを介して、端末機器用に３つのセミパーシステントグラントリソースを設定している場合を再び例として取り上げると、端末機器は、ネットワーク側機器から送信された第一下りリンクアクティブ化シグナリング及び第二下りリンクアクティブ化シグナリングを受信する。
【００４５】
そのうち、第一下りリンクアクティブ化シグナリングには、第一セミパーシステントグラントリソースに対応する識別子情報及び第二設定情報が含まれている。端末機器は、第一セミパーシステントグラントリソースに対応する識別子情報に従って、第一セミパーシステントグラントリソースをアクティブ化する。第一セミパーシステントグラントリソースに対応する第二設定情報には、第一時間周波数リソースパラメータが含まれており、第一時間周波数リソースパラメータに従って、端末機器は、第一セミパーシステントグラントリソースにネットワーク側機器によって設定されたアンライセンス周波数帯域サブバンドがサブバンド１、サブバンド３及びサブバンド４であると特定できる。
【００４６】
第二下りリンクアクティブ化シグナリングには、第三セミパーシステントグラントリソースに対応する識別子情報及び第二設定情報が含まれている。端末機器は、第三セミパーシステントグラントリソースに対応する識別子情報に従って、第三セミパーシステントグラントリソースをアクティブ化する。第三セミパーシステントグラントリソースに対応する第二設定情報には、第三時間周波数リソースパラメータが含まれており、第三時間周波数リソースパラメータに従って、端末機器は、第三セミパーシステントグラントリソースにネットワーク側機器によって設定されたアンライセンス周波数帯域サブバンドがサブバンド２及びサブバンド３であると特定できる。
【００４７】
下りリンクアクティブ化シグナリングを介して、ネットワーク側機器は、複数のセミパーシステントグラントリソースのうち、１つ又は複数をより柔軟にアクティブ化し、並びに、アクティブ化する必要のあるセミパーシステントグラントリソースに、伝送に関するパラメータ情報をより柔軟に設定することができる。
【００４８】
本開示のいくつかの実施例において、ネットワーク側機器は、下りリンクアクティブ化シグナリングを介して、端末機器内のアクティブ状態にあるセミパーシステントグラントリソースの一部のパラメータ情報を更新することが可能である。
【００４９】
例えば、端末機器内のアクティブ状態にあるセミパーシステントグラントリソースは、第一セミパーシステントグラントリソース及び第二セミパーシステントグラントリソースである。そのうち、第一セミパーシステントグラントリソースに対応するアンライセンス周波数帯域サブバンドは、サブバンド１及びサブバンド３であり、第二セミパーシステントグラントリソースに対応するアンライセンス周波数帯域サブバンドは、サブバンド２及びサブバンド４である。
【００５０】
端末機器は、ネットワーク側機器から送信された下りリンクアクティブ化シグナリングを受信し、当該下りリンクアクティブ化シグナリングには、第一セミパーシステントグラントリソースに対応する識別子情報及び第二設定情報が含まれ、第二設定情報には、第一時間周波数リソースパラメータが含まれており、そのうち、第一時間周波数リソースパラメータと、第一セミパーシステントグラントリソースの現在の時間周波数リソースパラメータとは異なる。
【００５１】
この際、端末機器は、第一セミパーシステントグラントリソースの時間周波数リソースパラメータを第一時間周波数リソースパラメータに更新し、更に、第一時間周波数リソースパラメータに従って、端末機器は、第一セミパーシステントグラントリソースにネットワーク側機器によって再設定されたアンライセンス周波数帯域サブバンドがサブバンド１、サブバンド２及びサブバンド４であると特定できる。
【００５２】
ネットワーク側機器は、１つの下りリンクアクティブ化シグナリングを介して、１つのセミパーシステントグラントリソースをアクティブ化することができるだけではなく、更に、１つ又は複数の下りリンクアクティブ化シグナリングを介して、アクティブ状態にある当該セミパーシステントグラントリソースの一部のパラメータ情報を更新することもできる。例えば、当該セミパーシステントグラントリソースの時間周波数リソースパラメータを更新し、更に、更新された時間周波数リソースパラメータに従って、当該セミパーシステントグラントリソースにネットワーク側機器によって再設定されたアンライセンス周波数帯域サブバンドを特定する。
【００５３】
アクティブ状態にあるセミパーシステントグラントリソースについては、端末機器が複数の下りリンクアクティブ化シグナリングを受信した場合、端末機器は、直近に受信した下りリンクアクティブ化シグナリングに従って、当該セミパーシステントグラントリソースの一部のパラメータを更新する。
【００５４】
説明すべきなのは、下りリンクアクティブ化シグナリングは、アクティブ状態にあるセミパーシステントグラントリソースの時間周波数リソースパラメータを更新可能である以外に、実際の伝送ニーズに応じて他のパラメータを更新することも可能であるが、ここで、具体的に限定しない。
【００５５】
第三種：
本開示のいくつかの実施例において、複数のセミパーシステントグラントリソースのうち、１つ又は複数をアクティブ化することは、
複数のセミパーシステントグラントリソースと、各々のセミパーシステントグラントリソースに対応する少なくとも１つのアンライセンス周波数帯域サブバンドとを設定するための上位層シグナリングを受信することと、
少なくとも１つのアクティブ化リソース識別子情報を指示するための下りリンクアクティブ化シグナリングを受信することとを含み、少なくとも１つのアクティブ化リソース識別子情報は、少なくとも１つのアクティブ化リソース識別子情報の各々に対応するセミパーシステントグラントリソースをアクティブ化するように指示するためのものである。
【００５６】
まず、端末機器は、ネットワーク側機器から送信された上位層シグナリングを受信し、当該上位層シグナリングには、端末機器にネットワーク側機器によって設定された複数のセミパーシステントグラントリソースの各々に対応する識別子情報及び設定情報が含まれている。
【００５７】
そのうち、各々のセミパーシステントグラントリソースに対応する設定情報には、当該セミパーシステントグラントリソースの時間周波数リソースパラメータが含まれている。各々のセミパーシステントグラントリソースの時間周波数リソースパラメータに従って、端末機器は、当該セミパーシステントグラントリソースにネットワーク側機器によって設定された少なくとも１つのアンライセンス周波数帯域サブバンドを特定することができる。
【００５８】
つまり、ネットワーク側機器は、当該ＲＲＣシグナリングを介して、端末機器に複数のセミパーシステントグラントリソースを設定する。また、各々のセミパーシステントグラントリソースに、当該セミパーシステントグラントリソースに対応する少なくとも１つのアンライセンス周波数帯域サブバンドを設定している。
【００５９】
その後、端末機器は、ネットワーク側機器から送信された下りリンクアクティブ化シグナリングを受信し、当該下りリンクアクティブ化シグナリングには、少なくとも１つのアクティブ化リソース識別子情報が含まれている。
【００６０】
端末機器は、当該少なくとも１つのアクティブ化リソース識別子情報に従って、当該少なくとも１つのアクティブ化リソース識別子情報の各々に対応するセミパーシステントグラントリソースをアクティブ化する。
【００６１】
例えば、まず、端末機器は、ネットワーク側機器から送信されたＲＲＣシグナリングを受信し、当該ＲＲＣシグナリングには、第一セミパーシステントグラントリソースに対応する識別子情報及び設定情報と、第二セミパーシステントグラントリソースに対応する識別子情報及び設定情報と、第三セミパーシステントグラントリソースに対応する識別子情報及び設定情報とが含まれている。
【００６２】
そのうち、第一セミパーシステントグラントリソースに対応する設定情報には、第一時間周波数リソースパラメータが含まれており、当該第一時間周波数リソースパラメータに従って、端末機器は、第一セミパーシステントグラントリソースにネットワーク側機器によって設定されたアンライセンス周波数帯域サブバンドがサブバンド１及びサブバンド３であると特定でき、第二セミパーシステントグラントリソースに対応する設定情報には、第二時間周波数リソースパラメータが含まれており、当該第二時間周波数リソースパラメータに従って、端末機器は、第二セミパーシステントグラントリソースにネットワーク側機器によって設定されたアンライセンス周波数帯域サブバンドがサブバンド２及びサブバンド４であると特定でき、第三セミパーシステントグラントリソースに対応する設定情報には、第三時間周波数リソースパラメータが含まれており、当該第三時間周波数リソースパラメータに従って、端末機器は、第三セミパーシステントグラントリソースにネットワーク側機器によって設定されたアンライセンス周波数帯域サブバンドがサブバンド１、サブバンド２及びサブバンド４であると特定できる。
【００６３】
その後、端末機器は、ネットワーク側機器から送信された下りリンクアクティブ化シグナリングを受信し、当該下りリンクアクティブ化シグナリングには、第一セミパーシステントグラントリソースに対応する識別子情報と、第二セミパーシステントグラントリソースに対応する識別子情報とが含まれている。
【００６４】
端末機器は、下りリンクアクティブ化シグナリング内の第一セミパーシステントグラントリソースに対応する識別子情報に従って、第一セミパーシステントグラントリソースをアクティブ化する一方で、端末機器は、下りリンクアクティブ化シグナリング内の第二セミパーシステントグラントリソースに対応する識別子情報に従って、第二セミパーシステントグラントリソースをアクティブ化する。
【００６５】
上位層シグナリングを介して、端末機器に、複数のセミパーシステントグラントリソースと、各々のセミパーシステントグラントリソースに対応する少なくとも１つのアンライセンス周波数帯域サブバンドとを設定し、更に、下りリンクアクティブ化シグナリングを介して、複数のセミパーシステントグラントリソースのうち、１つ又は複数をアクティブ化することで、複数のセミパーシステントグラントリソースのうち、１つ又は複数を柔軟にアクティブ化するができるとともに、セミパーシステントグラントリソースに下りリンクアクティブ化シグナリングによって少なくとも１つのアンライセンス周波数帯域サブバンドを設定する際のシグナリング負荷が大きくなり得るという問題を回避することができる。
【００６６】
本開示のいくつかの実施例において、
アクティブ状態にあるセミパーシステントグラントリソースに対応する少なくとも１つのアンライセンス周波数帯域サブバンドに対し、チャネル傍受を行うことと、
ターゲットセミパーシステントグラントリソースであって、その対応する少なくとも１つのアンライセンス周波数帯域サブバンドのチャネル傍受結果がアイドルであるターゲットセミパーシステントグラントリソースを特定することと、
ターゲットセミパーシステントグラントリソースにて、上行データチャネルを送信することとを更に含む。
【００６７】
そのうち、上行データチャネルには、ＵＣＩ（Ｕｐｌｉｎｋ  Ｃｏｎｔｒｏｌ  Ｉｎｆｏｒｍａｔｉｏｎ）が搬送されており、ＵＣＩには、ターゲットセミパーシステントグラントリソースの識別子情報が含まれている。
【００６８】
例えば、アクティブ状態にあるセミパーシステントグラントリソースは、第一セミパーシステントグラントリソース及び第二セミパーシステントグラントリソースである。そのうち、第一セミパーシステントグラントリソースに対応するアンライセンス周波数帯域サブバンドは、サブバンド１及びサブバンド３であり、第二セミパーシステントグラントリソースに対応するアンライセンス周波数帯域サブバンドは、サブバンド２及びサブバンド４である。
【００６９】
端末機器は、アンライセンス周波数帯域のサブバンド１、サブバンド２、サブバンド３及びサブバンド４に対してチャネル傍受を行い、サブバンド１及びサブバンド３のチャネル傍受結果がビジーであり、サブバンド２及びサブバンド４のチャネル傍受結果がアイドルである場合、第二セミパーシステントグラントリソースをターゲットセミパーシステントグラントリソースとして特定する。
【００７０】
端末機器は、ターゲットセミパーシステントグラントリソース（第二セミパーシステントグラントリソース）にて、ネットワーク側機器へ上行データチャネルを送信し、そのうち、上行データチャネルにＵＣＩが搬送されており、当該ＵＣＩには、ターゲットセミパーシステントグラントリソース（第二セミパーシステントグラントリソース）の識別子情報が含まれている。
【００７１】
説明すべきなのは、端末機器は、ターゲットセミパーシステントグラントリソースにて上行データチャネルを送信可能である以外に、ターゲットセミパーシステントグラントリソースにて上りリンク制御チャネルを送信することも可能であるが、ここで、具体的に限定しない。
【００７２】
選択的に、端末機器は、異なるセミパーシステントグラントリソースにて上行データチャネル（又は上りリンク制御チャネル）を送信する際の送信電力が同じである。
【００７３】
本開示のいくつかの実施例において、
アクティブ状態にあるセミパーシステントグラントリソースのうち、１つ又は複数を非アクティブ化することを更に含む。
【００７４】
ネットワーク側機器は、端末機器に複数のセミパーシステントグラントリソースを設定してアクティブ化した後に、実際のデータ伝送ニーズに応じて、アクティブ状態にあるセミパーシステントグラントリソースのうち、１つ又は複数を非アクティブ化してもよい。
【００７５】
アクティブ状態にあるセミパーシステントグラントリソースのうち、１つ又は複数を非アクティブ化する方式は、下記の少なくとも２種を含む。
【００７６】
第一種：
本開示のいくつかの実施例において、アクティブ状態にあるセミパーシステントグラントリソースのうち、１つ又は複数を非アクティブ化することは、
アクティブ状態にあるセミパーシステントグラントリソースのうち、１つ又は複数を非アクティブ化するための上位層シグナリングを受信することを含む。
【００７７】
端末機器は、ネットワーク側機器から送信された上位層シグナリングを受信し、当該上位層シグナリングに従って、端末機器は、アクティブ状態にあるセミパーシステントグラントリソースのうち、１つ又は複数を非アクティブ化することが可能である。
【００７８】
第二種：
本開示のいくつかの実施例において、アクティブ状態にあるセミパーシステントグラントリソースのうち、１つ又は複数を非アクティブ化することは、
少なくとも１つの非アクティブ化リソース識別子情報を指示するための下りリンク非アクティブ化シグナリングを受信することを含み、少なくとも１つの非アクティブ化リソース識別子情報は、少なくとも１つの非アクティブ化リソース識別子情報の各々に対応するセミパーシステントグラントリソースを非アクティブ化するように指示するためのものである。
【００７９】
端末機器は、ネットワーク側機器から送信された下りリンク非アクティブ化シグナリングを受信し、当該下りリンク非アクティブ化シグナリングには、少なくとも１つの非アクティブ化リソース識別子情報が含まれている。端末機器は、当該少なくとも１つの非アクティブ化リソース識別子情報に従って、当該少なくとも１つの非アクティブ化リソース識別子情報の各々に対応するセミパーシステントグラントリソースを非アクティブ化する。
【００８０】
例えば、端末機器内のアクティブ状態にあるセミパーシステントグラントリソースは、第一セミパーシステントグラントリソース、第二セミパーシステントグラントリソース及び第三セミパーシステントグラントリソースである。
【００８１】
端末機器は、ネットワーク側機器から送信された下りリンク非アクティブ化シグナリングを受信し、当該下りリンク非アクティブ化シグナリングには、第一セミパーシステントグラントリソースに対応する識別子情報と、第三セミパーシステントグラントリソースに対応する識別子情報とが含まれている。端末機器は、第一セミパーシステントグラントリソースに対応する識別子情報に従って、アクティブ状態にある第一セミパーシステントグラントリソースを非アクティブ化する一方で、端末機器は、第三セミパーシステントグラントリソースに対応する識別子情報に従って、アクティブ状態にある第三セミパーシステントグラントリソースを非アクティブ化する。
【００８２】
説明すべきなのは、端末機器によって受信された下りリンク非アクティブ化シグナリングは１つであってもよいし、複数であってもよいが、ここで、具体的に限定しない。
【００８３】
本開示のいくつかの実施例に記載の技術案によれば、設定情報により、端末機器に複数のセミパーシステントグラントリソースを設定し、各々のセミパーシステントグラントリソースが少なくとも１つのアンライセンス周波数帯域サブバンドに対応していることで、アンライセンス周波数帯域のチャネルのうち、ビジーでないものが存在する場合、端末機器は、チャネルがアイドルであるアンライセンス周波数帯域サブバンドに対応するセミパーシステントグラントリソースを用いて、アンライセンス周波数帯域に素早くアクセスすることが可能であるため、セミパーシステントグラント上りリンク伝送のレイテンシを効果的に低減することができる。
【００８４】
図３は、本開示のいくつかの実施例によるセミパーシステントグラント上りリンク伝送のための方法のフロー模式図である。前記方法は、ネットワーク側機器に適用されるもので、以下の通りであってもよい。
【００８５】
ステップ３１０として、端末機器に複数のセミパーシステントグラントリソースを設定するための設定情報を送信し、複数のセミパーシステントグラントリソースの各々は、少なくとも１つのアンライセンス周波数帯域サブバンドに対応している。
【００８６】
そのうち、異なるセミパーシステントグラントリソースに対応する少なくとも１つのアンライセンス周波数帯域サブバンドが異なる。
【００８７】
本開示のいくつかの実施例において、
複数のセミパーシステントグラントリソースのうち、１つ又は複数をアクティブ化することを更に含む。
【００８８】
ネットワーク側機器は、設定情報により、端末機器に複数のセミパーシステントグラントリソースを設定し、当該複数のセミパーシステントグラントリソースのうち、１つ又は複数をアクティブ化することで、アンライセンス周波数帯域のチャネルのうち、ビジーでないものが存在する場合、端末機器は、チャネルがアイドルであるアンライセンス周波数帯域サブバンドに対応するセミパーシステントグラントリソースを用いて、アンライセンス周波数帯域に素早くアクセスすることが可能である。
【００８９】
複数のセミパーシステントグラントリソースのうち、１つ又は複数をアクティブ化する方式は、下記の少なくとも３種を含む。
【００９０】
第一種：
本開示のいくつかの実施例において、複数のセミパーシステントグラントリソースのうち、１つ又は複数をアクティブ化することは、
複数のセミパーシステントグラントリソースと、各々のセミパーシステントグラントリソースに対応する少なくとも１つのアンライセンス周波数帯域サブバンドとを設定してアクティブ化するための上位層シグナリングを送信することを含む。
【００９１】
そのうち、上位層シグナリングは、ＲＲＣシグナリングを含む。
【００９２】
ネットワーク側機器は、端末機器に上位層シグナリングを送信し、当該上位層シグナリングには、端末機器にネットワーク側機器によって設定された複数のセミパーシステントグラントリソースの各々に対応する識別子情報及び設定情報が含まれている。そのうち、各々のセミパーシステントグラントリソースに対応する設定情報には、当該セミパーシステントグラントリソースの周期、時間周波数リソース等のパラメータが含まれている。
【００９３】
各々のセミパーシステントグラントリソースの時間周波数リソースパラメータに従って、端末機器にネットワーク側機器によって設定された、当該セミパーシステントグラントリソースに対応する少なくとも１つのアンライセンス周波数帯域サブバンドを特定することが可能である。
【００９４】
つまり、ネットワーク側機器は、上位層シグナリングを介すれば、端末機器に複数のセミパーシステントグラントリソースを設定してアクティブ化することが可能であり、端末機器にいかなる他のアクティブ化シグナリングを更に送信する必要がない。
【００９５】
第二種：
本開示のいくつかの実施例において、複数のセミパーシステントグラントリソースのうち、１つ又は複数をアクティブ化することは、
複数のセミパーシステントグラントリソースを設定するための上位層シグナリングを送信することと、
アクティブ化リソース識別子情報を指示し、並びにアクティブ化リソース識別子情報に対応するセミパーシステントグラントリソースに、少なくとも１つのアンライセンス周波数帯域サブバンドを指示するための下りリンクアクティブ化シグナリングを送信することとを含み、アクティブ化リソース識別子情報は、アクティブ化リソース識別子情報に対応するセミパーシステントグラントリソースをアクティブ化するように指示するためのものである。
【００９６】
まず、ネットワーク側機器は、端末機器に上位層シグナリングを送信し、当該上位層シグナリングには、端末機器にネットワーク側機器によって設定された複数のセミパーシステントグラントリソースの各々に対応する識別子情報及び第一設定情報が含まれている。
【００９７】
そのうち、各々のセミパーシステントグラントリソースに対応する第一設定情報には、当該セミパーシステントグラントリソースの周期等の一部のパラメータが含まれている。
【００９８】
その後、ネットワーク側機器は、端末機器に下りリンクアクティブ化シグナリングを送信し、当該下りリンクアクティブ化シグナリングには、アクティブ化リソース識別子情報及び第二設定情報が含まれている。
【００９９】
そのうち、当該アクティブ化リソース識別子情報に従って、端末機器は、当該アクティブ化リソース識別子情報に対応するセミパーシステントグラントリソースをアクティブ化することが可能であり、第二設定情報には、例えば、時間周波数リソースパラメータ、ＭＣＳパラメータ等、当該アクティブ化リソース識別子情報に対応するセミパーシステントグラントリソースにネットワーク側機器によって設定された、伝送に関するパラメータが含まれており、当該時間周波数リソースパラメータに従って、端末機器は、当該アクティブ化リソース識別子情報に対応するセミパーシステントグラントリソースにネットワーク側機器によって設定された少なくとも１つのアンライセンス周波数帯域サブバンドを特定することができる。
【０１００】
説明すべきなのは、ネットワーク側機器から端末機器に送信された下りリンクアクティブ化シグナリングは１つであってもよいし、複数であってもよいが、ここで、具体的に限定しない。
【０１０１】
ネットワーク側機器が端末機器に複数の下りリンクアクティブ化シグナリングを送信した場合、端末機器は、各々の下りリンクアクティブ化シグナリングに含まれているアクティブ化リソース識別子情報に従って、当該アクティブ化識別子情報に対応するセミパーシステントグラントリソースをアクティブ化する。また、各々の下りリンクアクティブ化シグナリングに含まれている第二設定情報内の時間周波数リソースパラメータに従って、当該アクティブ化識別子情報に対応するセミパーシステントグラントリソースにネットワーク側機器によって設定された少なくとも１つのアンライセンス周波数帯域サブバンドを特定する。
【０１０２】
下りリンクアクティブ化シグナリングを介して、ネットワーク側機器は、複数のセミパーシステントグラントリソースのうち、１つ又は複数をより柔軟にアクティブ化する。また、アクティブ化する必要のあるセミパーシステントグラントリソースに、伝送に関するパラメータ情報をより柔軟に設定することができる。
【０１０３】
本開示のいくつかの実施例において、ネットワーク側機器は、下りリンクアクティブ化シグナリングを介して、端末機器内のアクティブ状態にあるセミパーシステントグラントリソースの一部のパラメータ情報を更新することが可能である。
【０１０４】
例えば、端末機器内のアクティブ状態にあるセミパーシステントグラントリソースは、第一セミパーシステントグラントリソース及び第二セミパーシステントグラントリソースである。そのうち、第一セミパーシステントグラントリソースに対応するアンライセンス周波数帯域サブバンドは、サブバンド１及びサブバンド３であり、第二セミパーシステントグラントリソースに対応するアンライセンス周波数帯域サブバンドは、サブバンド２及びサブバンド４である。
【０１０５】
ネットワーク側機器は、端末機器に下りリンクアクティブ化シグナリングを送信し、当該下りリンクアクティブ化シグナリングには、第一セミパーシステントグラントリソースに対応する識別子情報及び第二設定情報が含まれ、第二設定情報には、第一時間周波数リソースパラメータが含まれており、そのうち、第一時間周波数リソースパラメータと、第一セミパーシステントグラントリソースの現在の時間周波数リソースパラメータとは異なる。
【０１０６】
この際、端末機器は、受信された下りリンクアクティブ化シグナリングに従って、第一セミパーシステントグラントリソースの時間周波数リソースパラメータを第一時間周波数リソースパラメータに更新し、更に、第一時間周波数リソースパラメータに従って、端末機器は、第一セミパーシステントグラントリソースにネットワーク側機器によって再設定されたアンライセンス周波数帯域サブバンドがサブバンド１、サブバンド２及びサブバンド４であると特定できる。
【０１０７】
ネットワーク側機器は、１つの下りリンクアクティブ化シグナリングを介して、１つのセミパーシステントグラントリソースをアクティブ化することが可能である以外に、更に、１つ又は複数の下りリンクアクティブ化シグナリングを介して、アクティブ状態にある当該セミパーシステントグラントリソースの一部のパラメータ情報、例えば当該セミパーシステントグラントリソースの時間周波数リソースパラメータを更新することも可能であるため、端末機器は、更新された時間周波数リソースパラメータに従って、当該セミパーシステントグラントリソースにネットワーク側機器によって再設定されたアンライセンス周波数帯域サブバンドを特定することができる。
【０１０８】
アクティブ状態にあるセミパーシステントグラントリソースについては、ネットワーク側機器から端末機器に複数の下りリンクアクティブ化シグナリングを送信した場合、端末機器は、直近に受信した下りリンクアクティブ化シグナリングに従って、当該セミパーシステントグラントリソースの一部のパラメータを更新することが可能である。
【０１０９】
説明すべきなのは、下りリンクアクティブ化シグナリングは、アクティブ状態にあるセミパーシステントグラントリソースの時間周波数リソースパラメータを更新可能である以外に、実際の伝送ニーズに応じて他のパラメータを更新することも可能であるが、ここで、具体的に限定しない。
【０１１０】
第三種：
本開示のいくつかの実施例において、複数のセミパーシステントグラントリソースのうち、１つ又は複数をアクティブ化することは、
複数のセミパーシステントグラントリソースと、各々のセミパーシステントグラントリソースに対応する少なくとも１つのアンライセンス周波数帯域サブバンドとを設定するための上位層シグナリングを送信することと、
少なくとも１つのアクティブ化リソース識別子情報を指示するための下りリンクアクティブ化シグナリングを送信することとを含み、少なくとも１つのアクティブ化リソース識別子情報は、少なくとも１つのアクティブ化リソース識別子情報の各々に対応するセミパーシステントグラントリソースをアクティブ化するように指示するためのものである。
【０１１１】
まず、ネットワーク側機器は、端末機器に上位層シグナリングを送信し、当該上位層シグナリングには、端末機器にネットワーク側機器によって設定された複数のセミパーシステントグラントリソースの各々に対応する識別子情報及び設定情報が含まれている。
【０１１２】
そのうち、各々のセミパーシステントグラントリソースに対応する設定情報には、当該セミパーシステントグラントリソースの時間周波数リソースパラメータが含まれている。各々のセミパーシステントグラントリソースの時間周波数リソースパラメータに従って、端末機器は、当該セミパーシステントグラントリソースにネットワーク側機器によって設定された少なくとも１つのアンライセンス周波数帯域サブバンドを特定することができる。
【０１１３】
つまり、ネットワーク側機器は、当該ＲＲＣシグナリングを介して、端末機器に複数のセミパーシステントグラントリソースを設定する。また、各々のセミパーシステントグラントリソースに、当該セミパーシステントグラントリソースに対応する少なくとも１つのアンライセンス周波数帯域サブバンドを設定している。
【０１１４】
その後、ネットワーク側機器は、端末機器に下りリンクアクティブ化シグナリングを送信し、当該下りリンクアクティブ化シグナリングには、少なくとも１つのアクティブ化リソース識別子情報が含まれている。
【０１１５】
端末機器は、当該少なくとも１つのアクティブ化リソース識別子情報に従って、当該少なくとも１つのアクティブ化リソース識別子情報の各々に対応するセミパーシステントグラントリソースをアクティブ化する。
【０１１６】
上位層シグナリングを介して、端末機器に、複数のセミパーシステントグラントリソースと、各々のセミパーシステントグラントリソースに対応する少なくとも１つのアンライセンス周波数帯域サブバンドとを設定し、更に、下りリンクアクティブ化シグナリングを介して、複数のセミパーシステントグラントリソースのうち、１つ又は複数をアクティブ化することで、複数のセミパーシステントグラントリソースのうち、１つ又は複数を柔軟にアクティブ化するができるとともに、セミパーシステントグラントリソースに下りリンクアクティブ化シグナリングによって少なくとも１つのアンライセンス周波数帯域サブバンドを設定する際のシグナリング負荷が大きくなり得るという問題を回避することができる。
【０１１７】
本開示のいくつかの実施例において、
ターゲットセミパーシステントグラントリソースにて、上行データチャネルを受信することを更に含む。
【０１１８】
そのうち、上行データチャネルにＵＣＩが搬送されており、ＵＣＩには、ターゲットセミパーシステントグラントリソースの識別子情報が含まれている。
【０１１９】
端末機器は、アンライセンス周波数帯域のサブバンドでチャネル傍受を行い、チャネル傍受結果がアイドルであるサブバンドに対応するターゲットセミパーシステントグラントリソースを特定し、更に、ターゲットセミパーシステントグラントリソースにて上行データチャネルを送信することで、ネットワーク側機器は、ターゲットセミパーシステントグラントリソースにて上行データチャネルを受信可能になる。
【０１２０】
説明すべきなのは、ネットワーク側機器は、ターゲットセミパーシステントグラントリソースにて上行データチャネルを受信可能である以外に、ターゲットセミパーシステントグラントリソースにて上りリンク制御チャネルを受信することも可能であるが、ここで、具体的に限定しない。
【０１２１】
本開示のいくつかの実施例において、
アクティブ状態にあるセミパーシステントグラントリソースのうち、１つ又は複数を非アクティブ化することを更に含む。
【０１２２】
ネットワーク側機器は、端末機器に複数のセミパーシステントグラントリソースを設定してアクティブ化した後に、実際のデータ伝送ニーズに応じて、アクティブ状態にあるセミパーシステントグラントリソースのうち、１つ又は複数を非アクティブ化してもよい。
【０１２３】
アクティブ状態にあるセミパーシステントグラントリソースのうち、１つ又は複数を非アクティブ化する方式は、下記の少なくとも２種を含む。
【０１２４】
第一種：
本開示のいくつかの実施例において、アクティブ状態にあるセミパーシステントグラントリソースのうち、１つ又は複数を非アクティブ化することは、
アクティブ状態にあるセミパーシステントグラントリソースのうち、１つ又は複数を非アクティブ化するための上位層シグナリングを送信することを含む。
【０１２５】
ネットワーク側機器は、端末機器に上位層シグナリングを送信し、当該上位層シグナリングに従って、端末機器は、アクティブ状態にあるセミパーシステントグラントリソースのうち、１つ又は複数を非アクティブ化することが可能である。
【０１２６】
第二種：
本開示のいくつかの実施例において、アクティブ状態にあるセミパーシステントグラントリソースのうち、１つ又は複数を非アクティブ化することは、
少なくとも１つの非アクティブ化リソース識別子情報を指示するための下りリンク非アクティブ化シグナリングを送信することを含み、少なくとも１つの非アクティブ化リソース識別子情報は、少なくとも１つの非アクティブ化リソース識別子情報の各々に対応するセミパーシステントグラントリソースを非アクティブ化するように指示するためのものである。
【０１２７】
ネットワーク側機器は、端末機器に下りリンク非アクティブ化シグナリングを送信し、当該下りリンク非アクティブ化シグナリングには、少なくとも１つの非アクティブ化リソース識別子情報が含まれていることで、端末機器は、当該少なくとも１つの非アクティブ化リソース識別子情報に従って、当該少なくとも１つの非アクティブ化リソース識別子情報の各々に対応するセミパーシステントグラントリソースを非アクティブ化することが可能になる。
【０１２８】
説明すべきなのは、ネットワーク側機器から端末機器に送信された下りリンク非アクティブ化シグナリングは１つであってもよいし、複数であってもよいが、ここで、具体的に限定しない。
【０１２９】
本開示のいくつかの実施例に記載の技術案によれば、ネットワーク側機器は、設定情報により、端末機器に複数のセミパーシステントグラントリソースを設定し、各々のセミパーシステントグラントリソースが少なくとも１つのアンライセンス周波数帯域サブバンドに対応していることで、アンライセンス周波数帯域のチャネルのうち、ビジーでないものが存在する場合、端末機器は、チャネルがアイドルであるアンライセンス周波数帯域サブバンドに対応するセミパーシステントグラントリソースを用いて、アンライセンス周波数帯域に素早くアクセスすることが可能であるため、セミパーシステントグラント上りリンク伝送のレイテンシを効果的に低減することができる。
【０１３０】
図４は、本開示のいくつかの実施例による端末機器の構造模式図である。図４に示す端末機器４００は、
複数のセミパーシステントグラントリソースを設定するための設定情報を受信するための受信モジュール４０１を含み、
複数のセミパーシステントグラントリソースの各々は、少なくとも１つのアンライセンス周波数帯域サブバンドに対応している。
【０１３１】
選択的に、異なるセミパーシステントグラントリソースに対応する少なくとも１つのアンライセンス周波数帯域サブバンドが異なる。
【０１３２】
選択的に、端末機器４００は、
複数のセミパーシステントグラントリソースのうち、１つ又は複数をアクティブ化するためのアクティブ化モジュールを更に含む。
【０１３３】
選択的に、アクティブ化モジュールは、
複数のセミパーシステントグラントリソースと、各々のセミパーシステントグラントリソースに対応する少なくとも１つのアンライセンス周波数帯域サブバンドとを設定してアクティブ化するための上位層シグナリングを受信することに更に用いられる。
【０１３４】
選択的に、アクティブ化モジュールは、
複数のセミパーシステントグラントリソースを設定するための上位層シグナリングを受信することと、
アクティブ化リソース識別子情報を指示し、並びにアクティブ化リソース識別子情報に対応するセミパーシステントグラントリソースに、少なくとも１つのアンライセンス周波数帯域サブバンドを指示するための下りリンクアクティブ化シグナリングを受信することとに更に用いられ、アクティブ化リソース識別子情報は、アクティブ化リソース識別子情報に対応するセミパーシステントグラントリソースをアクティブ化するように指示するためのものである。
【０１３５】
選択的に、アクティブ化モジュールは、
複数のセミパーシステントグラントリソースと、各々のセミパーシステントグラントリソースに対応する少なくとも１つのアンライセンス周波数帯域サブバンドとを設定するための上位層シグナリングを受信することと、
少なくとも１つのアクティブ化リソース識別子情報を指示するための下りリンクアクティブ化シグナリングを受信することとに更に用いられ、少なくとも１つのアクティブ化リソース識別子情報は、少なくとも１つのアクティブ化リソース識別子情報の各々に対応するセミパーシステントグラントリソースをアクティブ化するように指示するためのものである。
【０１３６】
選択的に、端末機器４００は、
アクティブ状態にあるセミパーシステントグラントリソースに対応する少なくとも１つのアンライセンス周波数帯域サブバンドに対し、チャネル傍受を行うための傍受モジュールと、
ターゲットセミパーシステントグラントリソースであって、その対応する少なくとも１つのアンライセンス周波数帯域サブバンドのチャネル傍受結果がアイドルであるターゲットセミパーシステントグラントリソースを特定するための特定モジュールと、
前記ターゲットセミパーシステントグラントリソースにて、上行データチャネルを送信するための送信モジュールとを更に含む。
【０１３７】
選択的に、上行データチャネルにＵＣＩが搬送されており、
ＵＣＩには、ターゲットセミパーシステントグラントリソースの識別子情報が含まれている。
【０１３８】
選択的に、端末機器４００は、
アクティブ状態にあるセミパーシステントグラントリソースのうち、１つ又は複数を非アクティブ化するための非アクティブ化モジュールを更に含む。
【０１３９】
選択的に、非アクティブ化モジュールは、
アクティブ状態にあるセミパーシステントグラントリソースのうち、１つ又は複数を非アクティブ化するための上位層シグナリングを受信することに更に用いられる。
【０１４０】
選択的に、非アクティブ化モジュールは、
少なくとも１つの非アクティブ化リソース識別子情報を指示するための下りリンク非アクティブ化シグナリングを受信することに更に用いられ、少なくとも１つの非アクティブ化リソース識別子情報は、少なくとも１つの非アクティブ化リソース識別子情報の各々に対応するセミパーシステントグラントリソースを非アクティブ化するように指示するためのものである。
【０１４１】
選択的に、上位層シグナリングは、ＲＲＣシグナリングを含む。
本開示のいくつかの実施例による端末機器４００は、図２の方法の実施例において端末機器によって実現された各プロセスを実現できるが、重複を回避するため、ここで繰り返して説明しない。
【０１４２】
図５は、本開示のいくつかの実施例によるネットワーク側機器の構造模式図である。図５に示すネットワーク側機器５００は、
端末機器に複数のセミパーシステントグラントリソースを設定するための設定情報を送信するための送信モジュール５０１を含み、
複数のセミパーシステントグラントリソースの各々は、少なくとも１つのアンライセンス周波数帯域サブバンドに対応している。
【０１４３】
選択的に、異なるセミパーシステントグラントリソースに対応する少なくとも１つのアンライセンス周波数帯域サブバンドが異なる。
【０１４４】
選択的に、ネットワーク側機器５００は、
複数のセミパーシステントグラントリソースのうち、１つ又は複数をアクティブ化するためのアクティブ化モジュールを更に含む。
【０１４５】
選択的に、アクティブ化モジュールは、
複数のセミパーシステントグラントリソースと、各々のセミパーシステントグラントリソースに対応する少なくとも１つのアンライセンス周波数帯域サブバンドとを設定してアクティブ化するための上位層シグナリングを送信することに更に用いられる。
【０１４６】
選択的に、アクティブ化モジュールは、
複数のセミパーシステントグラントリソースを設定するための上位層シグナリングを送信することと、
アクティブ化リソース識別子情報を指示し、並びにアクティブ化リソース識別子情報に対応するセミパーシステントグラントリソースに、少なくとも１つのアンライセンス周波数帯域サブバンドを指示するための下りリンクアクティブ化シグナリングを送信することとに更に用いられ、アクティブ化リソース識別子情報は、アクティブ化リソース識別子情報に対応するセミパーシステントグラントリソースをアクティブ化するように指示するためのものである。
【０１４７】
選択的に、アクティブ化モジュールは、
複数のセミパーシステントグラントリソースと、各々のセミパーシステントグラントリソースに対応する少なくとも１つのアンライセンス周波数帯域サブバンドとを設定するための上位層シグナリングを送信することと、
少なくとも１つのアクティブ化リソース識別子情報を指示するための下りリンクアクティブ化シグナリングを送信することとに更に用いられ、少なくとも１つのアクティブ化リソース識別子情報は、少なくとも１つのアクティブ化リソース識別子情報の各々に対応するセミパーシステントグラントリソースをアクティブ化するように指示するためのものである。
【０１４８】
選択的に、ネットワーク側機器５００は、
ターゲットセミパーシステントグラントリソースにて、上行データチャネルを受信するための受信モジュールを更に含む。
【０１４９】
選択的に、上行データチャネルにＵＣＩが搬送されており、
ＵＣＩには、ターゲットセミパーシステントグラントリソースの識別子情報が含まれている。
【０１５０】
選択的に、ネットワーク側機器５００は、
アクティブ状態にあるセミパーシステントグラントリソースのうち、１つ又は複数を非アクティブ化するための非アクティブ化モジュールを更に含む。
【０１５１】
選択的に、非アクティブ化モジュールは、
アクティブ状態にあるセミパーシステントグラントリソースのうち、１つ又は複数を非アクティブ化するための上位層シグナリングを送信することに更に用いられる。
【０１５２】
選択的に、非アクティブ化モジュールは、
少なくとも１つの非アクティブ化リソース識別子情報を指示するための下りリンク非アクティブ化シグナリングを送信することに更に用いられ、少なくとも１つの非アクティブ化リソース識別子情報は、少なくとも１つの非アクティブ化リソース識別子情報の各々に対応するセミパーシステントグラントリソースを非アクティブ化するように指示するためのものである。
【０１５３】
選択的に、上位層シグナリングは、ＲＲＣシグナリングを含む。
本開示のいくつかの実施例によるネットワーク側機器５００は、図３の方法の実施例においてネットワーク側機器により実現された各プロセスを実現できるが、重複を回避するため、ここで繰り返して説明しない。
【０１５４】
図６は、本開示のいくつかの実施例による他の端末機器の構造模式図である。図６に示す端末機器６００は、少なくとも１つのプロセッサ６０１と、メモリ６０２と、少なくとも１つのネットワークインターフェース６０４と、ユーザインターフェース６０３とを含む。端末機器６００内の各コンポーネントは、バスシステム６０５を介して結合されている。なお、バスシステム６０５は、これらのコンポーネントの間の接続通信を実現するために用いられることが理解され得る。バスシステム６０５は、データバスに加え、電源バス、制御バス及び状態信号バスを含むが、説明を明確にするために、図６では、各種のバスを全てバスシステム６０５として示している。
【０１５５】
そのうち、ユーザインターフェース６０３は、ディスプレイ、キーボード又はポインティングデバイス（例えば、マウス、トラックボール（ｔｒａｃｋｂａｌｌ）、タッチパネル又はタッチスクリーン等）を含んでもよい。
【０１５６】
理解できるように、本開示のいくつかの実施例におけるメモリ６０２は、揮発性メモリ又は不揮発性メモリであってもよく、或いは、揮発性と不揮発性メモリとの両方を含んでもよい。そのうち、不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）、又は、フラッシュメモリであってもよい。揮発性メモリは、ランダムアクセスメモリ（Ｒａｎｄｏｍ  Ａｃｃｅｓｓ  Ｍｅｍｏｒｙ、ＲＡＭ）であってもよく、外部高速キャッシュとして用いられる。例示的に説明すると、例えば静的ランダムアクセスメモリ（Ｓｔａｔｉｃ  ＲＡＭ、ＳＲＡＭ）、動的ランダムアクセスメモリ（Ｄｙｎａｍｉｃ  ＲＡＭ、ＤＲＡＭ）、同期動的ランダムアクセスメモリ（Ｓｙｎｃｈｒｏｎｏｕｓ  ＤＲＡＭ、ＳＤＲＡＭ）、ダブルデータレート同期動的ランダムアクセスメモリ（Ｄｏｕｂｌｅ  Ｄａｔａ  Ｒａｔｅ  ＳＤＲＡＭ、ＤＤＲＳＤＲＡＭ）、拡張同期動的ランダムアクセスメモリ（Ｅｎｈａｎｃｅｄ  ＳＤＲＡＭ、ＥＳＤＲＡＭ）、同期接続動的ランダムアクセスメモリ（Ｓｙｎｃｈ  ｌｉｎｋ  ＤＲＡＭ、ＳＬＤＲＡＭ）及びダイレクト  メモリバスランダムアクセスメモリ（Ｄｉｒｅｃｔ  Ｒａｍｂｕｓ  ＲＡＭ、ＤＲＲＡＭ）といった様々なＲＡＭが利用可能であるが、これらに限定されない。本開示のいくつかの実施例で説明されたシステム及び方法のメモリ６０２は、これら及び任意の他の適合タイプのメモリを含むが、限定されるものではない。
【０１５７】
いくつかの実施形態において、メモリ６０２は、オペレーティングシステム６０２１、及びアプリケーションプログラム６０２２の実行可能なモジュール又はデータ構造、或いは、それらのサブセット又は拡張セットを記憶している。
【０１５８】
そのうち、オペレーティングシステム６０２１は、各種の基礎サービス及びハードウェアに基づくタスクを扱うために、例えばフレームワークレイヤ、コアライブラリレイヤ、ドライバレイヤ等の各種のシステムプログラムを含む。アプリケーションプログラム６０２２は、各種のアプリケーションサービスを実現するために、例えばメディアプレーヤ（Ｍｅｄｉａ  Ｐｌａｙｅｒ）、ブラウザ（Ｂｒｏｗｓｅｒ）等の各種のアプリケーションプログラムを含む。本開示のいくつかの実施例に係る方法を実現するプログラムは、アプリケーションプログラム６０２２に含まれることが可能である。
【０１５９】
本開示のいくつかの実施例において、端末機器６００は、メモリ６０２に記憶されてプロセッサ６０１上で実行可能なコンピュータプログラムを更に含み、コンピュータプログラムがプロセッサ６０１によって実行されると、
複数のセミパーシステントグラントリソースを設定するための設定情報を受信するステップが実現され、
複数のセミパーシステントグラントリソースの各々は、少なくとも１つのアンライセンス周波数帯域サブバンドに対応している。
【０１６０】
本開示の上記いくつかの実施例に開示の方法は、プロセッサ６０１に適用されるか、あるいは、プロセッサ６０１によって実現されることが可能である。プロセッサ６０１は、信号の処理能力を有する集積回路チップであってもよい。実現の際、上記方法の各ステップは、プロセッサ６０１内のハードウェアである集積ロジック回路又はソフトウェア形式のコマンドによって完成可能である。上記のプロセッサ６０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は、他のプログラマブルロジックデバイス、ディスクリートゲート又はトランジスタロジックデバイス、ディスクリートハードウェアコンポーネントであってもよく、本開示のいくつかの実施例に開示された各方法、ステップ及びロジックブロック図を実現又は実行可能である。汎用プロセッサは、マイクロプロセッサや、いかなる常用的なプロセッサ等であってもよい。本開示のいくつかの実施例に開示の方法のステップは、直接具現化として、ハードウェアデコーダプロセッサによる実行で完成されてもよいし、或いは、デコーダプロセッサ内のハードウェア及びソフトウェアモジュールの組み合わせによる実行で完成されてもよい。ソフトウェアモジュールは、ランダムメモリ、フラッシュメモリ、読み取り専用メモリ、プログラマブル読み取り専用メモリや、電気的に消去可能なプログラマブルメモリ、レジスタ等の当分野において成熟されているコンピュータ読取可能な記憶媒体内に位置することが可能である。当該コンピュータ読取可能な記憶媒体は、メモリ６０２にあり、プロセッサ６０１は、メモリ６０２内の情報を読み取り、そのハードウェアと結合して、上記方法のステップを完成する。具体的に、当該コンピュータ読取可能な記憶媒体にコンピュータプログラムが記憶されており、コンピュータプログラムがプロセッサ６０１によって実行されると、図２のような方法の実施例の各ステップが実現される。
【０１６１】
理解できるように、本開示のいくつかの実施例に記載のこれらの実施例は、ハードウェア、ソフトウェア、ファームウェア、ミドルウェア、マイクロコード、又は、その組み合わせによって実現可能である。ハードウェアによる実現について、プロセスユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、本開示の前記機能を実行するための他の電子ユニット又はその組み合わせの中に実現可能である。
【０１６２】
ソフトウェアによる実現について、本開示のいくつかの実施例の前記機能を実行するモジュール（例えばプロセス、関数等）によって、本開示のいくつかの実施例に記載の技術を実現することが可能である。ソフトウェアコードは、メモリに記憶されてプロセッサによって実行されることが可能である。メモリは、プロセッサの内部、又は、プロセッサの外部で実現可能である。
【０１６３】
端末機器６００は、前述した図２の方法の実施例において端末機器によって実現された各プロセスを実現できるが、重複を回避するために、ここで繰り返して説明しない。
【０１６４】
本開示のいくつかの実施例は、コンピュータプログラムを記憶したコンピュータ読取可能な記憶媒体を更に提供しており、当該コンピュータプログラムがプロセッサによって実行されると、上記の図２の方法の実施例の各プロセスが実現され、且つ同じ技術的効果を達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１６５】
図７は、本開示のいくつかの実施例による他のネットワーク側機器の構造模式図である。図７に示すネットワーク側機器７００は、図３の方法の実施例の詳細を実現して、同じ効果を達成することができる。図７に示すように、ネットワーク側機器７００は、プロセッサ７０１、送受信機７０２、メモリ７０３、ユーザインターフェース７０４及びバスインターフェースを含む。
【０１６６】
本開示のいくつかの実施例において、ネットワーク側機器７００は、メモリ７０３に記憶されてプロセッサ７０１上で実行可能なコンピュータプログラムを更に含み、コンピュータプログラムがプロセッサ７０１によって実行されると、
端末機器に複数のセミパーシステントグラントリソースを設定するための設定情報を送信するステップが実現され、
複数のセミパーシステントグラントリソースの各々は、少なくとも１つのアンライセンス周波数帯域サブバンドに対応している。
【０１６７】
図７において、バスアーキテクチャは、任意数の相互接続されたバス及びブリッジを含んでもよく、具体的には、プロセッサ７０１をはじめとした１つ又は複数のプロセッサと、メモリ７０３をはじめとしたメモリとの各種回路が繋げられている。バスアーキテクチャは、周辺デバイス、電圧レギュレータや電力管理回路等の様々な他の回路を互いに繋げることも可能であるが、これらは、当分野において公知されているため、本明細書において、さらなる説明をしない。バスインターフェースは、インターフェースを提供するものである。送受信機７０２は、複数の素子、即ち送信機及び受信機を含んでもよく、伝送媒体にて様々な他の装置と通信するための手段を提供するものである。様々なユーザ機器に対して、ユーザインターフェース７０４は、必要なデバイスを外部又は内部で接続可能なインターフェースであってもよく、接続されるデバイスは、小型キーボード、ディスプレイ、スピーカ、マイク、ジョイスティック等を含むが、これらに限定されない。
【０１６８】
プロセッサ７０１は、バスアーキテクチャ及び一般的な処理の管理を担っており、メモリ７０３は、プロセッサ７０１による実行操作時に用いられるデータを記憶可能である。
【０１６９】
ネットワーク側機器７００は、前述した図３の方法の実施例においてネットワーク側機器によって実現された各プロセスを実現できるが、重複を回避するために、ここで繰り返して説明しない。
【０１７０】
本開示のいくつかの実施例は、コンピュータプログラムを記憶したコンピュータ読取可能な記憶媒体を更に提供しており、当該コンピュータプログラムがプロセッサによって実行されると、上記の図３の方法の実施例の各プロセスが実現され、且つ同じ技術的効果を達成できるが、重複を回避するために、ここで繰り返して説明しない。そのうち、前記コンピュータ読取可能な記憶媒体は、例えばＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスク等である。
【０１７１】
説明すべきなのは、本明細書において、用語「含む」、「包含」又は他の任意の変体は、非排他的な包含をカバーしており、一連の要素を含むプロセス、方法、物又は装置は、これらの要素を含むことだけではなく、明示的に列挙されていない他の要素、又はこのプロセス、方法、物若しくは装置の固有の要素を含む。さらなる制限がない限り、用語「１つの・・・を含む」より限定された要素は、該要素を含むプロセス、方法、物又は装置に他の同一の要素が存在することを排除しない。
【０１７２】
上記の実施形態に対する説明から、当業者は、ソフトウェアに、必要な汎用ハードウェアプラットフォームを加えるという方式で、本発明が実現可能であると明確に分かることができ、勿論、ハードウェアによっても実現可能であるが、多くの場合は、前者は、より好適な実施形態となる。このような理解に基づいて、本発明の技術案の本質的部分、あるいは関連技術に対する貢献をもたらす部分は、ソフトウェア製品の形で具現化することができ、当該コンピュータソフトウェア製品は、記憶媒体（例えばＲＯＭ／ＲＡＭ、磁気ディスク、光ディスク）に記憶され、一台の端末（携帯電話、コンピュータ、サーバ、エアコンやネットワークデバイス等であり得る）が本開示の各実施例に記載の方法を実行可能にするためのいくつかのコマンドを含む。
【０１７３】
以上、図面を参照して本開示の実施例を説明したが、本開示は、上記の具体的な実施形態に限定されず、上記の具体的な実施形態は、あくまでも例示的なもので、限定的なものではない。当業者は、本開示の示唆の下で、本開示の主旨及び請求項の保護範囲から逸脱することなく、多数の形態を作り出すことができ、それらは、全て本開示の保護範囲に含まれるものとする。
【図１】
2021532656.tif 000003
【図２】
2021532656.tif 000004
【図３】
2021532656.tif 000005
【図４】
2021532656.tif 000006
【図５】
2021532656.tif 000007
【図６】
2021532656.tif 000008
【図７】
2021532656.tif 000009
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
端末機器に適用される、セミパーシステントグラント上りリンク伝送のための方法であって、
複数のセミパーシステントグラントリソースを設定するための設定情報を受信することを含み、
前記複数のセミパーシステントグラントリソースの各々は、少なくとも１つのアンライセンス周波数帯域サブバンドに対応している、セミパーシステントグラント上りリンク伝送のための方法。
【請求項２】
前記複数のセミパーシステントグラントリソースのうち、１つ又は複数をアクティブ化すること、又は
アクティブ状態にあるセミパーシステントグラントリソースのうち、１つ又は複数を非アクティブ化することを更に含む、請求項１に記載のセミパーシステントグラント上りリンク伝送のための方法。
【請求項３】
前記複数のセミパーシステントグラントリソースのうち、１つ又は複数をアクティブ化することは、
前記複数のセミパーシステントグラントリソースと、前記各々のセミパーシステントグラントリソースに対応する少なくとも１つのアンライセンス周波数帯域サブバンドとを設定してアクティブ化するための上位層シグナリングを受信することを含む、請求項２に記載のセミパーシステントグラント上りリンク伝送のための方法。
【請求項４】
前記複数のセミパーシステントグラントリソースのうち、１つ又は複数をアクティブ化することは、
前記複数のセミパーシステントグラントリソースを設定するための上位層シグナリングを受信することと、
アクティブ化リソース識別子情報を指示し、並びに、前記アクティブ化リソース識別子情報に対応するセミパーシステントグラントリソースに、少なくとも１つのアンライセンス周波数帯域サブバンドを指示するための下りリンクアクティブ化シグナリングを受信することとを含み、前記アクティブ化リソース識別子情報は、前記アクティブ化リソース識別子情報に対応するセミパーシステントグラントリソースをアクティブ化するように指示するためのものである、請求項２に記載のセミパーシステントグラント上りリンク伝送のための方法。
【請求項５】
アクティブ状態にあるセミパーシステントグラントリソースのうち、１つ又は複数を非アクティブ化することは、
少なくとも１つの非アクティブ化リソース識別子情報を指示するための下りリンク非アクティブ化シグナリングを受信することを含み、前記少なくとも１つの非アクティブ化リソース識別子情報は、前記少なくとも１つの非アクティブ化リソース識別子情報の各々に対応するセミパーシステントグラントリソースを非アクティブ化するように指示するためのものである、請求項２に記載のセミパーシステントグラント上りリンク伝送のための方法。
【請求項６】
複数のセミパーシステントグラントリソースを設定するための設定情報を受信するための受信モジュールを含み、
前記複数のセミパーシステントグラントリソースの各々は、少なくとも１つのアンライセンス周波数帯域サブバンドに対応している、端末機器。
【請求項７】
前記複数のセミパーシステントグラントリソースのうち、１つ又は複数をアクティブ化するためのアクティブ化モジュール、又は
アクティブ状態にあるセミパーシステントグラントリソースのうち、１つ又は複数を非アクティブ化するための非アクティブ化モジュールを更に含む、請求項６に記載の端末機器。
【請求項８】
前記アクティブ化モジュールは、
前記複数のセミパーシステントグラントリソースと、前記各々のセミパーシステントグラントリソースに対応する少なくとも１つのアンライセンス周波数帯域サブバンドとを設定してアクティブ化するための上位層シグナリングを受信することに更に用いられる、請求項７に記載の端末機器。
【請求項９】
前記アクティブ化モジュールは、
前記複数のセミパーシステントグラントリソースを設定するための上位層シグナリングを受信することと、
アクティブ化リソース識別子情報を指示し、並びに、前記アクティブ化リソース識別子情報に対応するセミパーシステントグラントリソースに、少なくとも１つのアンライセンス周波数帯域サブバンドを指示するための下りリンクアクティブ化シグナリングを受信することとに更に用いられ、前記アクティブ化リソース識別子情報は、前記アクティブ化リソース識別子情報に対応するセミパーシステントグラントリソースをアクティブ化するように指示するためのものである、請求項７に記載の端末機器。
【請求項１０】
前記非アクティブ化モジュールは、
少なくとも１つの非アクティブ化リソース識別子情報を指示するための下りリンク非アクティブ化シグナリングを受信することに更に用いられ、前記少なくとも１つの非アクティブ化リソース識別子情報は、前記少なくとも１つの非アクティブ化リソース識別子情報の各々に対応するセミパーシステントグラントリソースを非アクティブ化するように指示するためのものである、請求項７に記載の端末機器。
【請求項１１】
端末機器に複数のセミパーシステントグラントリソースを設定するための設定情報を送信するための送信モジュールを含み、
前記複数のセミパーシステントグラントリソースの各々は、少なくとも１つのアンライセンス周波数帯域サブバンドに対応している、ネットワーク側機器。
【請求項１２】
前記複数のセミパーシステントグラントリソースのうち、１つ又は複数をアクティブ化するためのアクティブ化モジュール、又は
アクティブ状態にあるセミパーシステントグラントリソースのうち、１つ又は複数を非アクティブ化するための非アクティブ化モジュールを更に含む、請求項１１に記載のネットワーク側機器。
【請求項１３】
前記アクティブ化モジュールは、
前記複数のセミパーシステントグラントリソースと、前記各々のセミパーシステントグラントリソースに対応する少なくとも１つのアンライセンス周波数帯域サブバンドとを設定してアクティブ化するための上位層シグナリングを送信することに更に用いられる、請求項１２に記載のネットワーク側機器。
【請求項１４】
前記アクティブ化モジュールは、
前記複数のセミパーシステントグラントリソースを設定するための上位層シグナリングを送信することと、
アクティブ化リソース識別子情報を指示し、並びに、前記アクティブ化リソース識別子情報に対応するセミパーシステントグラントリソースに、少なくとも１つのアンライセンス周波数帯域サブバンドを指示するための下りリンクアクティブ化シグナリングを送信することとに更に用いられ、前記アクティブ化リソース識別子情報は、前記アクティブ化リソース識別子情報に対応するセミパーシステントグラントリソースをアクティブ化するように指示するためのものである、請求項１２に記載のネットワーク側機器。
【請求項１５】
前記非アクティブ化モジュールは、
少なくとも１つの非アクティブ化リソース識別子情報を指示するための下りリンク非アクティブ化シグナリングを送信することに更に用いられ、前記少なくとも１つの非アクティブ化リソース識別子情報は、前記少なくとも１つの非アクティブ化リソース識別子情報の各々に対応するセミパーシステントグラントリソースを非アクティブ化するように指示するためのものである、請求項１２に記載のネットワーク側機器。
【国際調査報告】
2021532656.tif 000010
2021532656.tif 000011
2021532656.tif 000012
2021532656.tif 000013